(57)【要約】【課題】デザイン性を損なうことなく、所定の規格に適合していることを示す適合認定情報を表示できる電子機器を提供する。【解決手段】デジタルカメラには、公的認定機関によってＲｏＨＳ指令に適合していることを示す適合認定情報がフラッシュメモリに予め記憶されている。電源がオフ状態で、表示モードが設定された後に電源がオンになると、ＬＣＤにはオープニング画面で認定マークが一定時間表示された後にスルー画像が表示される。また、携帯電話機からデジタルカメラに含有量情報が送信された場合は、表示モードで電源がオンされると、オープニング画面で認定マークが表示された後に、環境有害物質の含有量一覧が表示され、その後スルー画像が表示される。また、非表示モードが設定された後に電源がオンになっても、ＬＣＤには認定マークや含有量一覧は表示されない。【選択図】図７
2007183826.tif 000002
【特許請求の範囲】
【請求項１】
画像または文字を表示する表示手段を備えた電子機器において、
公的な認定機関による認定検査によって品質に係る規格に適合していることを示す適合認定情報を記憶する記憶手段と、
前記記憶手段から前記適合認定情報を読み出し、前記表示手段に表示する表示制御手段とを備えたことを特徴とする電子機器。
【請求項２】
前記適合認定情報を前記表示手段に表示させる表示モードと表示させない非表示モードとのいずれかに設定することができる表示モード設定手段を備え、
前記表示モード設定手段によって前記表示モードに設定した後、ユーザによって所定操作が行われると、前記表示制御手段は前記記憶手段から前記適合認定情報を読み出して、前記表示手段に表示することを特徴とする請求項１記載の電子機器。
【請求項３】
前記認定検査による検査結果を取得した外部機器と通信する通信手段を備えており、
前記記憶手段は、前記通信手段を介して前記外部機器から受信した前記検査結果を記憶し、
前記表示制御手段は、前記記憶手段から前記検査結果を読み出して、前記表示手段に表示することを特徴とする請求項１または２記載の電子機器。
【請求項４】
前記表示モードは、少なくとも前記適合認定情報または前記検査結果の一方を前記表示手段に表示させ、
前記表示モード設定手段によって前記表示モードに設定した後、ユーザによって所定操作が行われると、前記表示制御手段は前記記憶手段から少なくとも前記適合認定情報または前記検査結果の一方を読み出して、前記表示手段に表示することを特徴とする請求項３記載の電子機器。
【請求項５】
前記所定操作は、電源をオンにする操作であることを特徴とする請求項２または４記載の電子機器。
【発明の詳細な説明】
【技術分野】
【０００１】
公的認定機関から所定の規格に適合していると認定されたことを示す適合認定情報が付与された電子機器に関するものである。
【背景技術】
【０００２】
最近の世界各国では、地球環境問題に配慮し、化学物質の有害性に着目した法規制が整備されつつある。欧州連合（ＥＵ）は、２００６年７月より特定化学物質の使用制限令であるＲｏＨＳ（Restriction of the use of certain Hazardous Substances）規制を制定し、全ての電子機器製品の中から鉛（Ｐｂ）、カドミウム（Ｃｄ）、水銀（Ｈｇ）、６価クロム（Ｃｒ６＋）、ポリブロモビフェニル（ＰＢＢ）、ポリブロモジフェニルエーテル（ＰＢＤＥ）の６つの環境有害物質を非含有することを義務付ける。
【０００３】
そのため、電子機器から環境有害物質の含有量を正確に測定する測定方法や、測定装置が各種提案されている（特許文献１〜３参照）。各国の公的な認定機関は、これらの測定方法や装置を用いて、電子機器に含有されている環境有害物質を測定し、この測定結果がＲｏＨＳ指令に適合している場合には認定を行う。
【特許文献１】２００４−６１２２３号公報
【特許文献２】２００４−２７１２２９号公報
【特許文献３】２００５−３４４０号公報
【発明の開示】
【発明が解決しようとする課題】
【０００４】
公的認定機関は、特許文献１〜３に記載の測定方法または装置を用いて、電子機器の環境有害物質の含有量を測定すると、電子機器がＲｏＨＳ指令に適合しているか否かの認定検査を正確に行うことができる。そのため、ＲｏＨＳ指令に適合している電子機器には、例えば認定されたことを示す認定マークなどの適合認定情報を表示することが好ましい。しかしながら、電子機器の外観に適合認定情報を表示するとデザイン性に支障をきたすという問題がある。さらに、電子機器の外観の表示領域には制限があるため、認定マークの他に認定検査の検査結果など詳細な情報を表示することができないという問題もある。
【０００５】
本発明は、上記問題を解決するために鑑みてなされたものであり、表示手段に所定の規格に適合していることを示す適合認定情報を表示する電子機器を提供することを目的とする。
【課題を解決するための手段】
【０００６】
上記問題を解決するために、画像または文字を表示する表示手段を備えた電子機器において、公的な認定機関による認定検査によって品質に係る規格に適合していることを示す適合認定情報を記憶する記憶手段と、前記記憶手段から前記適合認定情報を読み出し、前記表示手段に表示する表示制御手段とを備えたことを特徴とするものである。
【０００７】
また、前記適合認定情報を前記表示手段に表示させる表示モードと表示させない非表示モードとのいずれかに設定することができる表示モード設定手段を備え、前記表示モード設定手段によって前記表示モードに設定した後、ユーザによって所定操作が行われると、前記表示制御手段は前記記憶手段から前記適合認定情報を読み出して、前記表示手段に表示することが好ましい。
【０００８】
また、前記認定検査による検査結果を取得した外部機器と通信する通信手段を備えており、前記記憶手段は、前記通信手段を介して前記外部機器から受信した前記検査結果を記憶し、前記表示制御手段は、前記記憶手段から前記検査結果を読み出して、前記表示手段に表示してもよい。また、前記表示モードは、少なくとも前記適合認定情報または前記検査結果の一方を前記表示手段に表示させ、前記表示モード設定手段によって前記表示モードに設定した後、ユーザによって所定操作が行われると、前記表示制御手段は前記記憶手段から少なくとも前記適合認定情報または前記検査結果の一方を読み出して、前記表示手段に表示することが好ましい。また、前記所定操作は、電源をオンにする操作であることが好ましい。
【発明の効果】
【０００９】
本発明の電子機器によれば、画像または文字を表示する表示手段を備えた電子機器において、公的な認定機関による認定検査によって品質に係る規格に適合していることを示す適合認定情報を記憶する記憶手段と、記憶手段から適合認定情報を読み出し、表示手段に表示する表示制御手段とを備えたので、デザイン性を損なわずに、電子機器に適合認証情報を表示することができる。
【００１０】
また、適合認定情報を表示手段に表示させる表示モードと表示させない非表示モードとのいずれかに設定することができる表示モード設定手段を備え、表示モード設定手段によって表示モードに設定した後、ユーザによって所定操作が行われると、表示制御手段は記憶手段から適合認定情報を読み出して表示手段に表示したので、ユーザは適合認定情報を適宜に確認することができる。
【００１１】
また、認定検査による検査結果を取得した外部機器と通信する通信手段を備えており、記憶手段は、通信手段を介して外部機器から受信した検査結果を記憶し、表示制御手段は、記憶手段から検査結果を読み出して、表示手段に表示するようにしたので、電子機器が所定の規格に適合していることが容易に確認できる。また、修理などで構成部品が変更されても、検査結果を受信することで規格に適合していることを表示することができる。
【００１２】
また、表示モードは少なくとも適合認定情報または検査結果の一方を表示手段に表示させ、表示モード設定手段によって表示モードに設定した後、ユーザによって所定操作が行われると、表示制御手段は記憶手段から少なくとも適合認定情報または検査結果の一方を読み出して、表示手段に表示するようにしたので、ユーザは適合認定情報や検査結果を適宜に確認することができる。また、所定操作としては、電源をオンにする操作としたので、特別な操作を行わずに適合認定情報を確認することができる。
【発明を実施するための最良の形態】
【００１３】
図1及び図2に示すデジタルカメラ２は、各構成部品に対する環境有害物質の含有量がＲｏＨＳ指令に適合していることを公的な認定機関によって認定されたものである。ＲｏＨＳ指令とは、欧州連合（ＥＵ）が２００６年7月から指向する有害物質規制であり、電気電子機器変への環境有害物質の含有を禁止するものである。この環境有害物質としては、鉛（Ｐｂ）、カドミウム（Ｃｄ）、水銀（Ｈｇ）、６価クロム（Ｃｒ６＋）、ポリブロモビフェニル（ＰＢＢ）、ポリブロモジフェニルエーテル（ＰＢＤＥ）である。なお、公的認定機関では、例えば、特開２００４−２７１２２９号公報などに記載の品質管理方法を用いて、構成部品に対する環境有害物質の含有量を検査し、欧州ＲｏＨＳ指令に適合しているか否かの認定検査を行う。適合していると認定されたデジタルカメラ２には、適合認定情報が付与されている。
【００１４】
デジタルカメラ２のカメラ本体５の前面には、撮影レンズ１１が組み込まれたレンズ鏡筒１２、光学ファインダを構成するファインダ対物窓１３、ストロボ発光部１４、スライド式の電源スイッチ１５が設けられている。電源スイッチ１５は、カメラ本体５の一部とともにグリップ部を構成しており、撮影を行う際にはユーザに把持される。電源スイッチ１５は、図１に示すオン位置と、電源スイッチ１５を図中右方向にスライドさせたオフ位置（撮影レンズを覆う位置）の間でスライド自在である。カメラ本体５の側面には、記録媒体であるメモリカード２０が挿入されるカードスロット２１、および外部機器とデータの送受信を行う際に通信ケーブルを接続する通信Ｉ／Ｆ２２が設けられている。
【００１５】
カメラ本体５の上面にはシャッタボタン２３が設けられており、２段階押圧式となっている。デジタルカメラ２は、シャッタボタン２３が半押しされて１段目のスイッチがオンすると、焦点調整や露出調整などの撮影準備処理を行い、さらにシャッタボタン２３が全押しされて２段目のスイッチがオンすると撮影処理を行う。
【００１６】
また、背面には表示手段である液晶パネル（ＬＣＤ）２４と、デジタルカメラ２の各種モードを切り替えるモード切替ボタン２５、撮影レンズ１１のズームレンズをワイド側、テレ側に変倍するズームボタン２６、ＬＣＤ２４に表示されたカーソルを移動させる十字ボタン２７や、詳しくは後述する表示モード切替ボタン２７などが設けられている。ＬＣＤ２４には、撮影した画像や撮影時のいわゆるスルー画像、および各種メニュー画像が表示される。
【００１７】
図２において、デジタルカメラ２は、ＣＰＵ３０によって統括的に制御される。ＣＰＵ３０は、前述の各種操作ボタンから入力される操作信号に基づいて、各部の動作制御を行う。
【００１８】
フラッシュメモリ３１はデータバス３２と接続されており、書換え可能な不揮発性メモリである。フラッシュメモリ３１には、デジタルカメラ２の各部を動作させるプログラムや各種データが予め記憶されている。この記憶されている各種データの中には、ＲｏＨＳ指令に適合していることを示す適合認定情報も含まれている。さらに、詳しくは後述するが、デジタルカメラ２の構成部品が認定検査された際の検査結果である環境有害物質の含有量に関する情報（以下、含有量情報という）がフラッシュメモリ３１に記憶される。なお、この含有量情報は、後述する外部機器から受信するものである。
【００１９】
撮影レンズ１１は、フォーカスレンズおよびズームレンズから構成されている。撮像レンズ１１にはレンズモータ３３、絞り３４にはアイリスモータ３６がそれぞれ接続されている。これらのモータ３３，３６は、ステッピングモータからなり、測光・測距回路３７に接続されたモータドライバ３８から送信される駆動パルスにより動作制御される。
【００２０】
レンズモータ３３は、撮像レンズ１１内のズームレンズをワイド側またはテレ側に移動させる。また、レンズモータ３３は、ズームレンズの変倍などに応じて撮像レンズ１１内のフォーカスレンズを移動させ、撮影条件が最適となるように焦点調整を行う。アイリスモータ３６は、絞り３４を動作させて露出調整を行う。これらのモータ３３，３６による焦点調整および露出調整は、測光・測距回路３７による被写体の測光および測距結果に基づいて行われる。
【００２１】
絞り３４の後方には、ＣＣＤイメージセンサ（固体撮像素子）３９が配置されている。ＣＣＤイメージセンサ３９は、撮影レンズ１１を通過して受光面に結像した被写体光を光電変換する。各受光素子に蓄積された信号電荷は、ＣＣＤドライバ４０から供給される駆動パルスに基づいて転送され、各信号電荷の電荷量に応じた電圧信号（撮像信号）が順次に外部出力される。
【００２２】
ＣＣＤイメージセンサ３９から出力された撮像信号は、Ａ／Ｄコンバータ４１に入力される。Ａ／Ｄコンバータ４１は、入力された撮像信号に対して所定の処理を施してデジタル化し、画像データとしてバッファメモリ３１に入力する。なお、撮像信号のデジタル化の前に、ゲイン調整や相関二重サンプリング処理を行うことが好ましい。Ａ／Ｄコンバータ４１およびＣＣＤドライバ４０は、タイミングジェネレータ（ＴＧ）４３から送信されるタイミング信号によって同期が取られている。
【００２３】
Ａ／Ｄコンバータ４１から出力された画像データは、バッファメモリ４２に入力され、バッファメモリ４２は、入力された画像データを一時的に記憶する。画像処理回路（ＤＳＰ）４４、バッファメモリ４２に記憶された画像データに対して、同時化（色補間）、ＹＣ変換、ガンマ補正、輪郭補正、ホワイトバランス補正などの所定の画像処理を施す。バッファメモリ４２に記憶された画像データは、ＬＣＤドライバ４５によって随時、スルー画としてＬＣＤ２４に表示される。
【００２４】
圧縮伸長処理回路４６は、撮影モードにおいてシャッタボタン２３が全押しされた際に、ＤＳＰ４４によって所定の画像処理が施された画像データに対して、所定の圧縮形式（例えばＪＰＥＧ形式）に従って圧縮処理を施す。
【００２５】
圧縮伸長処理回路４６によって圧縮された画像データは、メモリカード２０内で図４に示すような画像ファイル構造で記録されている。この画像ファイル５０は、Ｅｘｉｆフォーマット形式で記録されており、この画像ファイル５０には、画像データ５１（ＪＰＥＧ形式）及びＥｘｉｆタグデータ５２が記録される。画像ファイル５０は、メモリカード２０内で各コマを識別できるように１〜ｎのファイル名が連番で付与される。画像ファイル５０はすべて画像フォルダ５３にまとめて格納される。なお。画像データ５１は、ＪＰＥＧ形式の他に非圧縮形式のＴｉｆｆ形式で記録してもよい。また、画像ファイル５０にはインデックス表示用にサムネイル画像５５を含めることもできる。
【００２６】
Ｅｘｉｆタグデータ５２は、撮影日時、シャッタ速度、絞り値、露光量、焦点距離、ストロボ発光の有無などの撮影条件に関する撮影条件データ５６が格納されている。さらに、フラッシュメモリ３１に含有量情報５７が記憶されている場合には、含有量情報５７がフラッシュメモリ３１から読み出され、Ｅｘｉｆタグデータ５２に格納される。
【００２７】
また、カードスロット２１は、再生モードにおいて所定の操作がなされた場合に、メモリカード２０から圧縮状態の画像データ５１を読み出す。圧縮伸長処理回路４６は、読み出された画像データ５１を伸長処理して元の形式に戻し、ＬＣＤドライバ４５によってＬＣＤ２４に再生表示させる。
【００２８】
通信Ｉ／Ｆ６０には通信ケーブルが接続され、この通信ケーブルを介して外部機器との通信を行う。例えば図５に示すように、外部機器として携帯電話機６２を用いた場合を説明する。サーバ６４は、公的認定機関またはデジタルカメラ２の製造元などのサーバ６４である。サーバ６４には、公的認定機関によってデジタルカメラ２の構成部品がＲｏＨＳ指令に適合しているか否かの認定検査を行った検査結果、つまり構成部品の環境有害物質の含有量情報が設けられている。よって、ユーザは携帯電話機６２でインターネット６３に接続し、デジタルカメラ２の製造番号などをサーバ６４に送信し、サーバ６４からデジタルカメラ２の構成部品に対する含有量情報を取得する。
【００２９】
携帯電話機６２に取得された含有量情報は、携帯電話機６２から通信ケーブル６５、及び通信Ｉ／Ｆ６０を介してデジタルカメラ２に送信される。送信された含有量情報は、フラッシュメモリ３１に記憶される。なお、フラッシュメモリ３１に記憶された含有量情報は、前述のように撮影が行われると、画像データ５１とともにＥｘｉｆタグデータ５２に格納され、１つの画像ファイル５０として記録される（図４参照）。
【００３０】
電源スイッチ１５は、オフ位置からオン位置にスライド操作されることによって、電源制御部６７にオン信号を入力する。電源制御部６７には電源としてバッテリ６８が接続されており、電源制御部６７はオン信号に基づいてバッテリ６８からの電力をデジタルカメラ２の各部に供給する。
【００３１】
表示モード設定ボタン２７は、デジタルカメラ２の電源が投入された際に、フラッシュメモリ３１に記憶されている適合認定情報に基づいてＬＣＤ２４に認定マーク７０（図６（Ａ）参照）を表示させる表示モードと、電源が投入されてもＬＣＤ２４に認定マーク７０を表示させない非表示モードのどちらかに設定する。表示モード設定ボタン２７によって表示モードが設定された後に、デジタルカメラ２の電源がオン状態になると、ＣＰＵ３０には表示信号が入力される。ＣＰＵ３０は表示信号に基づいて、フラッシュメモリ３１から適合認定情報を読み出し、図６（Ａ）に示すように、ＬＣＤ２４のオープニング画像に認証マーク７０を一定時間表示させる。なお、認証マーク７０としては、公的認定機関によって認定されたことを示す文字や図柄、認定機関の名称、認定された日付などを表示することが好ましい。また、ＬＣＤ２４に認定マーク７０を表示させたが、これに限らず、認定されていることを知らせる図柄、文字などであればよい。
【００３２】
さらに、フラッシュメモリ３１に含有量情報が記憶されている場合には、認証マーク７０を一定時間表示した後に、ＣＰＵ３０はフラッシュメモリ３１から含有量情報を読み出し、図６（Ｂ）に示すように、ＬＣＤ２４には含有量情報として環境有害物質の含有量の一覧７１が表示される。この含有量一覧７１の表示が終了すると、ＬＣＤ２４にはスルー画像が表示され、撮影が可能になる。
【００３３】
また、表示モード設定ボタン２７によって非表示モードが設定されると、デジタルカメラ２の電源がオフからオンになってもＬＣＤ２４に認証マーク７０及び環境有害物質の含有量一覧７１は表示されず、一定時間経過後にスルー画像が表示される。
【００３４】
次に、上記構成による作用を図７に示すフローチャートを用いて説明する。デジタルカメラ２は、製造工場から出荷される前に各種構成部品がＲｏＨＳ指令に適合することを公的認定機関によって認定されたものである。
【００３５】
ユーザはデジタルカメラ２を使用する前に、認定マーク７０を表示させるか否かを設定する。表示させる場合には、デジタルカメラ２の電源がオフ状態で表示モード設定ボタン２７によって表示モードを設定する。その後、電源スイッチ１５をオフ位置からオン位置にスライドすると、デジタルカメラ２に給電が行われて各部が起動し、ＬＣＤ２４のオープニング画面には、図６（Ａ）に示す認証マーク７０が一定時間表示される。この時、フラッシュメモリ３１に含有量情報が記憶されていない場合は、オープニング画面で認証マーク７０が表示された後にスルー画像が表示されて撮影の行える状態となる。このように、デジタルカメラ２の電源をオンにした際に、ＬＣＤ２４のオープニング画面でＲｏＨＳ指令に適合しているデジタルカメラ２であることが確認できる。
【００３６】
また、含有量情報をサーバ６４から取得し、フラッシュメモリ３１に記憶する際は、例えば図５に示すように、通信ケーブル６５を介してデジタルカメラ２と携帯電話機６２を接続する。そして、携帯電話機６２は、インターネット６３を介してサーバ６３にデジタルカメラ２の製造番号を送信する。これにより、サーバ６３からはデジタルカメラ２の構成部品の含有量情報が携帯電話機６２に送信される。携帯電話機６２に送信された含有量情報は、通信ケーブル６５を介して携帯電話機６２からデジタルカメラ２に送信される。そして、含有量情報はフラッシュメモリ３１に記憶される。
【００３７】
なお、外部機器としては、携帯電話機６２の他にパソコン、ＰＤＡ、ＧＰＳ装置などを用いてもよい。また、外部機器がサーバ６４から取得する情報としては、デジタルカメラ２が新しい部品を用いてモデルチェンジや修理を行った時に、交換された新しい部品がＲｏＨＳ指令に適合していると認定されている場合には、サーバ６４から新たに適合認証情報と、含有量情報を取得し、外部機器からデジタルカメラ２に送信することで、フラッシュメモリ３１に記憶された適合認定情報と含有量情報を新しいものに更新してもよい。また、デジタルカメラ２と携帯電話機６２を接続ケーブル６５で接続したが、赤外線などの無線を用いて行ってもよい。
【００３８】
フラッシュメモリ３１に適合認証情報と含有量情報が記憶されている場合、表示モードが設定された後で、電源スイッチ１５がオフ位置からオン位置にスライドされることによって、図６（Ａ）に示すように、ＬＣＤ２４にはオープニング画面で認証マーク７０が一定時間表示される。その後に、図６（Ｂ）に示すように、ＬＣＤ２４に環境有害物質の含有量一覧７１が表示される。これにより、ユーザはデジタルカメラ２が撮影可能となるまでの間に認証マーク７０と環境有害物質の一覧７１を確認することができる。よって、デジタルカメラ２のデザイン性を損なうことなく、デジタルカメラ２がＲｏＨＳ指令に適合していることを表示できる。さらに、デジタルカメラ２の構成部品に対する環境有害物質の含有量も知ることができる。
【００３９】
ＬＣＤ２４に環境有害物質の含有量一覧７１の表示が終了するとスルー画像が表示され、ユーザは適宜に撮影を行うことができる。そして、撮影によって得られた画像データは、メモリカード２０内のコマ番号が付された画像ファイル５０にＥｘｉｆタグデータ５２とともに記録される。このＥｘｉｆタグデータ５２には、フラッシュメモリ３１に記憶されている含有量情報が格納されている。
【００４０】
また、表示モード設定ボタン２７によって非表示モードが設定された場合は、電源スイッチ１５がオフ位置からオン位置にスライドされても、ＬＣＤ２４のオープニング画面で認証マーク７０や含有量一覧７１の表示が行われない。
【００４１】
なお、上記実施形態では、表示モードと非表示モードとを設け、電源のオフ状態で表示モードを設定した後、デジタルカメラ２の電源がオンとすることで、ＬＣＤ２４のオープニング画面に認定マーク７０や環境有害物質の含有量一覧７１を表示したが、これに限らず、デジタルカメラ２の電源がオンされた際にはＬＣＤ２４に認定マーク７０や含有量一覧７１を常に表示させてもよい。
【００４２】
また、表示モード及び非表示モードを設定する表示モード設定ボタン２７を設けずに、表示選択ボタンを備え、ユーザの操作によって認定マーク７０または含有量一覧７１の一方だけを選択的に表示させてもよい。これにより、ユーザはいつでも認定マーク７０や含有量一覧７１をＬＣＤ２４に表示させて確認を行うことができる。
【００４３】
なお、上記実施形態では、所定の規格としては、ＲｏＨＳ指令の場合を説明したが、これに限らず、日本工業規格（ＪＩＳ：Japanese Industrial Standard）やリサイクルに関する規格に認定されたことを示すマークを表示してもよい。
【図面の簡単な説明】
【００４４】
【図１】本発明を適用したデジタルカメラの正面の外観斜視図である。
【図２】本発明を適用したデジタルカメラの背面の外観斜視図である。
【図３】デジタルカメラの電気的な構成を示すブロック図である。
【図４】画像ファイルの概略的な構造を示すブロック図である。
【図５】携帯電話機がサーバから取得した含有量情報をデジタルカメラに送信する流れを説明する概略図である。
【図６】ＬＣＤに表示される認証マークおよび含有量一覧を示す説明図である。
【図７】ＬＣＤに認証マークおよび含有量一覧を表示させ処理手順を示すフローチャートである。
【符号の説明】
【００４５】
２  デジタルカメラ
２４  ＬＣＤ
１５  電源スイッチ
２７  表示モード設定ボタン
３０  ＣＰＵ
３１  フラッシュメモリ
６０  通信Ｉ／Ｆ
６２  携帯電話機
６５  通信ケーブル
７０  認定マーク
７１  環境有害物質の含有量一覧
【図１】
2007183826.tif 000003
【図２】
2007183826.tif 000004
【図３】
2007183826.tif 000005
【図４】
2007183826.tif 000006
【図５】
2007183826.tif 000007
【図６】
2007183826.tif 000008
【図７】
2007183826.tif 000009